(57)【要約】【課題】  回路部品や表示ないし記号にマークが視覚的に紛れ込んで見分けがつきにくくなるという事態の起こりにくいマークを配線基板の表面に表示することによって、ディッピング工程での配線基板の移動方向を適正に定める。【解決手段】  ディッピング工程中の配線基板１の移動方向Ｆを判断するためのマークＭを、配線基板１の移動方向Ｆに直交して配線基板１を横切る線によって表示する。マークＭを形成している線を、線幅や線種の異なる２本線などの組み合わせによって形成してもよい。【選択図】        図４
2007235010.tif 000002
【特許請求の範囲】
【請求項１】
表面に搭載された回路部品の端子が裏面の半田ランドにディッピング工程を経て半田付けされる配線基板において、
ディッピング工程中の当該配線基板の移動方向を判断するためのマークが、当該配線基板の移動方向に直交して当該配線基板を横切る線によって当該配線基板の表面に表示されていると共に、その線が、ディッピング工程での当該配線基板の移動方向の始端部で、互いに平行に間隔を隔ててシルク印刷によって表示された線種の異なる太幅線と細幅線との組み合わせでなることを特徴とする配線基板。
【請求項２】
表面に搭載された回路部品の端子が裏面の半田ランドにディッピング工程を経て半田付けされる配線基板において、
ディッピング工程中の当該配線基板の移動方向を判断するためのマークが、当該配線基板の移動方向に直交する線によって配線基板の表面に表示されていることを特徴とする配線基板。
【請求項３】
マークを表示している上記線が、当該配線基板の表面を横切って施されている請求項２に記載した配線基板。
【請求項４】
マークを表示している上記線が、ディッピング工程での当該配線基板の移動方向の始端部に施されている請求項２又は請求項３に記載した配線基板。
【請求項５】
マークを表示している上記線が、互いに平行に間隔を隔てて表示された太幅線と細幅線との組み合わせでなる請求項２ないし請求項４のいずれか１項に記載した配線基板。
【請求項６】
マークを表示している上記線が、互いに平行に間隔を隔てて表示された異なる線種の線の組み合わせでなる請求項２ないし請求項５のいずれか１項に記載した配線基板。
【請求項７】
表面に搭載された回路部品の端子が裏面の半田ランドにディッピング工程を経て半田付けされる配線基板において、
当該配線基板の表面が異種の回路形成領域に複数区画され、一部又は全部の回路形成領域についてその輪郭線が当該配線基板の表面に表示されていると共に、ディッピング工程中の当該配線基板の移動方向に並んでいる上記輪郭線の幅又は線種を異ならせてそれらの輪郭線を当該配線基板の移動方向を判断するためのマークとして形成してあることを特徴とする配線基板。
【請求項８】
上記マークが当該配線基板の表面にシルク印刷によって表示されている請求項７に記載した配線基板。
【発明の詳細な説明】
【技術分野】
【０００１】
本発明は、配線基板、詳しくは、表面に搭載された回路部品の端子が裏面の半田ランドにディッピング工程を経て半田付けされる配線基板に関する。
【背景技術】
【０００２】
上記種類の配線基板は、テレビジョン受像機やその他の様々な種類のオーディオビジュアル機器（ＡＶ機器）などの広範な機器に採用されている。また、この種の配線基板に回路部品を実装する場合、配線基板の表面に回路部品を搭載することによりその端子を当該配線基板の孔に挿通させてその裏面側の半田ランドに半田付けするということが行われるけれども、配線基板の孔に挿通された回路部品の端子は、様々な事情によって所定の方向に曲がっていることも多く、その場合には、曲がっている端子と半田ランドとが半田付けされることになる。そのため、回路部品を搭載した配線基板を噴流半田浴の上で一方向に通過させるというディッピング工程を経て回路部品の端子を半田ランドに半田付けする場合、噴流半田浴の上での配線基板の移動方向を適切に定めておくことが、多くの回路部品の端子と半田ランドとの半田付けによる接続信頼性を高める上で有益である。
【０００３】
そこで、従来より、ディッピング工程に投入する配線基板の適正な向きを作業者が適切に判断することができるようにするためのマークを当該配線基板の板面にシルク印刷によって表示させることが行われており、その代表的なものの１つに、上記マークを、流動半田浴の上での配線基板の移動方向を指し示す矢印によって表示したものがある。また、矢印以外の他の図形や記号などによってマークを表示したものも提案されている（たとえば、特許文献１、特許文献２）。
【０００４】
図７には特許文献１によって提案されている手段を平面図で示している。このものでは、回路パターンを有する基板の表面にチップ形の回路部品を半田付けする一対の導電ランドａ，ａを形成してあると共に、これらの導電ランドａ，ａを挟む両側に細長い表示部ｂ，ｂを形成してある。そして、細長い表示部ｂ，ｂを、導電ランドａ，ａを利用して半田付け実装された回路部品が適正に位置しているか否かの目視判断に利用することと併せて、その細長い表示部ｂ，ｂの長手方向が半田付け工程での半田の流れ方向であると定めることによって噴流半田浴の上での配線基板の移動方向を一定の範囲に限定してある。
【０００５】
これに対し、図示していないけれども、特許文献２によって提案されているものは、基板上の複数の回路部品のマウント位置と回路部品の端子の方向とを表示するマークをその基板に設けておき、そのマークによって表示される方向を半田浸漬方向に合致させるというものである。
【０００６】
一方、従来では、配線基板に半田を印刷する際の位置決め用のマークとして、その配線基板の側面に形成されている凹部を利用することも行われている（たとえば、特許文献３参照）。
【特許文献１】特開平１０−１６３５８７号公報（図１）
【特許文献２】特開２００５−２７７０８５号公報（図１）
【特許文献３】特開２００４−２８８６５８号公報（００３７）
【発明の開示】
【発明が解決しようとする課題】
【０００７】
しかしながら、従来より行われている上記各手段のうち、流動半田浴の上での配線基板の移動方向を判断させるためのマークを配線基板の板面に施した矢印によって表示したものは、そのマークの形状との関係上、マークを配線基板の板面の一部に局部的に表示せざるを得ないため、作業者にとっては、配線基板に搭載された回路部品や他の表示などがじゃまになってそのマークを目視で探すことが煩わしいことがあった。
【０００８】
また、特許文献１によって提案されている図７に示したものは、半田付け工程での半田の流れ方向が細長い表示部ｂ，ｂの長手方向Ａであるということが判るだけであるために、その表示部ｂ，ｂを見るだけでは配線基板のディッピング工程での移動方向が一方向に限定されないという点で不十分であるだけでなく、細長い表示部ｂ，ｂの長さが比較的短いために、作業者にとってはその表示部が半田の流れ方向を表示しているものであるか否かを判別しにくいという問題がある。さらに、特許文献２によって提案されているものでは、マークが回路部品のマウント位置に付随的に設けられているだけであるために、マウント位置にマウントされた回路部品によってそのマークが隠れたり見えなくなったりするおそれがある。
【０００９】
本発明は以上の状況や問題に鑑みてなされたものであり、配線基板の板面にディッピング工程中の配線基板の適正な移動方向を判断するためのマークを施すことを基本とし、回路部品が搭載されていても作業者にとってマークが見えやすく、しかも、ディッピング工程に配線基板を投入する際の配線基板の適切な向きを誤りなく容易に定めることのできる配線基板を提供することを目的とする。
【００１０】
また、本発明は、配線基板の表面に複数区画された異種の回路形成領域の輪郭線を利用してディッピング工程に投入する際の配線基板の向きを適切な向きを誤りなく容易に定めることのできる配線基板を提供することを目的とする。
【課題を解決するための手段】
【００１１】
本発明に係る配線基板は、表面に搭載された回路部品の端子が裏面の半田ランドにディッピング工程を経て半田付けされる配線基板において、ディッピング工程中の当該配線基板の移動方向を判断するためのマークが、当該配線基板の移動方向に直交する線によって配線基板の表面に表示されている、というものである。
【００１２】
この構成であると、作業者は配線基板の表面でマークを形成している線を見るだけで、ディッピング工程での配線基板の適正な移動方向がその線に直交する方向であるということを容易に判断することができるようになり、その配線基板をディッピング工程に適正な向きで投入することが可能になる。特に、マークが線によって配線基板の表面に表示されているので、その線の長さを配線基板に搭載された回路部品の大きさに比べて十分に長くしておくことにより、回路部品によってそのマークの全体が見えにくくなるということがなくなり、マークが見えにくいために配線基板の向きを間違えるという事態が起こりにくくなる。この作用は、マークを表示している上記線が、当該配線基板の表面を横切って施されている、という構成を採用すると、線の長さが回路部品の大きさに比べて十分に長くなるためにいっそう顕著に発揮される。
【００１３】
本発明では、マークを表示している上記線が、ディッピング工程での当該配線基板の移動方向の始端部に施されているという構成を採用することが可能であり、この構成を採用しておくと、作業者は、マークを表示している線の施されている側の端部を移動方向前方に向けてその配線基板をディッピング工程に投入するだけで、ディッピング工程での配線基板の移動方向が適正に定まる。
【００１４】
本発明では、マークを表示している上記線が、互いに平行に間隔を隔てて表示された太幅線と細幅線との組み合わせでなるという構成を採用したり、マークを表示している上記線が、互いに平行に間隔を隔てて表示された異なる線種の線の組み合わせでなるという構成を採用することが可能である。これらの各発明によれば、マークを表示している線を、配線基板の表面に表示されている回路部品の搭載領域や記号などを示す表示と区別しやすくなるために、多くの記号などが高密度で表面に表示されているような配線基板であっても、作業者にとっては、ディッピング工程に投入する配線基板の向きを容易にかつ正確に判断することが可能になる。
【００１５】
本発明に係る配線基板では、表面に搭載された回路部品の端子が裏面の半田ランドにディッピング工程を経て半田付けされる配線基板において、ディッピング工程中の当該配線基板の移動方向を判断するためのマークが、当該配線基板の移動方向に直交して当該配線基板を横切る線によって当該配線基板の表面に表示されていると共に、その線が、ディッピング工程での当該配線基板の移動方向の始端部で、互いに平行に間隔を隔ててシルク印刷によって表示された線種の異なる太幅線と細幅線との組み合わせでなる、という構成を採用することも可能である。この発明において、マークを表示させる線を形成している太幅線や細幅線の線種には、実線、破線、点線、一点鎖線、二点鎖線などの様々な線種を選択することが可能であるけれども、太幅線と細幅線の線種は異なっていることが必要がなり、そうしておくことによって、作業者にとっては、ディッピング工程に投入する配線基板の向きをいっそう容易にかつ正確に判断することが可能になる。
【００１６】
本発明に係る配線基板は、表面に搭載された回路部品の端子が裏面の半田ランドにディッピング工程を経て半田付けされる配線基板において、当該配線基板の表面が異種の回路形成領域に複数区画され、一部又は全部の回路形成領域についてその輪郭線が当該配線基板の表面に表示されていると共に、ディッピング工程中の当該配線基板の移動方向に並んでいる上記輪郭線の幅又は線種を異ならせてそれらの輪郭線を当該配線基板の移動方向を判断するためのマークとして形成してあるという構成を採用することも可能である。
【００１７】
この構成を備えた配線基板によると、配線基板の表面の回路形成領域を視覚的に示す輪郭線を利用して作業者がディッピング工程に投入する配線基板の向きを判断することが可能になるために、配線基板の向きを判断するためだけにマークを配線基板の表面に表示する必要がなくなる。その結果、配線基板の表面に施す必要のある記号などを少なく抑えることができることになって回路形成領域の輪郭線が見やすくなり、そのことが、作業者にとっては、ディッピング工程に投入する配線基板の向きをいっそう容易にかつ正確に判断することに役立つようになる。なお、この発明にあっては、上記マークを当該配線基板の表面にシルク印刷によって表示することが望ましい。
【発明の効果】
【００１８】
以上のように、本発明に係る配線基板は、その表面にただ単にマークを表示してディッピング工程中の配線基板の適正な移動方向を作業者に判断させ得るというものではなく、特に、多くの回路部品が高密度実装されたり多くの表示や記号が高密度で表面に施されているような配線基板であっても、それらの回路部品や表示ないし記号にマークが視覚的に紛れ込んで見分けがつきにくくなるという事態の起こりにくいという効果を奏し得る。そのために、作業者にとっては、マークが見えやすくなり、しかも、そのような見えやすいマークを判断要素としてディッピング工程に配線基板を投入する際の配線基板の適切な向きを誤りなく容易に定めることができるようになる。したがって、このことが、回路部品と半田ランドとの半田付け箇所の接続信頼性を高めることに役立つ。
【発明を実施するための最良の形態】
【００１９】
図１〜図４は本発明に係る実施形態の様々な変形例を平面的に示した説明図である。図１〜図４に示したそれぞれの配線基板１は外形が矩形に形成されていて、図示していない裏面には電源回路や映像信号処理回路などの必要とされる回路が備わり、それらの回路には、当該配線基板１の表面に搭載される回路部品の端子を半田付けするための半田ランド（不図示）が付設されていることに加え、当該配線基板１の所要箇所に回路部品の端子が挿通される孔部（不図示）が具備されていて、それらの孔部が上記半田ランドで開口している。
【００２０】
図１〜図４に示したそれぞれの配線基板１では、ディッピング工程で矢印Ｆで示した方向に当該配線基板１が移動すると、その配線基板１に搭載した回路部品の端子と半田ランドとが適正に半田付けされてその半田付け箇所の接続信頼性が得られるものとする。したがって、作業者は、ディッピング工程に配線基板１を投入する際に、流動半田浴の上での配線基板１の移動方向が矢印Ｆで示した方向になるようにその配線基板１の向きを定める必要がある。
【００２１】
そこで、図１〜図４に示したそれぞれの配線基板１では、その表面に白色のシルク印刷によってまっすぐな線でなるマークＭを表示し、しかも、そのマークＭの表示位置を、流動半田浴の上での適正な移動方向Ｆの前方側端部（以下「始端部」という）１２に近い箇所に極端に偏らせてあると共に、そのマークＭを形成しているまっすぐな線の延びる方向を適正な上記移動方向Ｆに対して直交させてある。したがって、作業者が配線基板１をディッピング工程に投入する際に、その配線基板１のマークＭと平行でその近くに位置する端縁を見分けた上でその配線基板１の向きをマークＭが前になるように定めるだけで、流動半田浴の上で配線基板１が適正な移動方向Ｆに移動するようになり、そのために、配線基板１の表面に搭載した回路部品の端子と半田ランドとの半田付け箇所に高い接続信頼性が得られるようになる。
【００２２】
図１〜図４に示した実施形態のように、配線基板１の表面に表示したマークＭがその配線基板１の４つの端縁のうちのどの端縁の近くに平行に位置しているかを見分けることによってディッピング工程に投入する配線基板１の向きを定める場合、その配線基板１の表面には、マークＭの形状に類似するような線や記号の施されているいないことが望まれる。この点に関し、テレビジョン受像機やＤＶＤプレーヤ／ドライバなどの電気電子機器に用いられる配線基板では、その配線基板に形成されている電源回路や信号処理回路などの形成領域を示す線がシルク印刷によって白色に表示されていたり、配線基板に実装される回路部品の搭載位置や向きなどを示す記号などがシルク印刷によって白色に表示されていたりすることが多いけれども、それらの表示が配線基板を横切るまっすぐな線によって表示されていることはほとんどない。そのため、作業者がディッピング工程に投入する配線基板１の向きを定める場合に、マークＭを形成しているまっすぐな線が配線基板１を横切の形で表示されていることは、その線がディッピング工程に投入する配線基板１の向きを定めるマークＭである、ということを作業者が容易にかつ確実に認識することに顕著に役立つ。また、マークＭが配線基板１を横切る線で形成されていると、そのマークＭの全体が配線基板１に搭載された回路部品により覆い隠されて見えなくなるということが起こらないので、その点からもマークＭを見分けやすくなるという利点がある。さらに、ディッピング工程に投入する配線基板１の向きを定めるマークＭとは異なる意図の下でその配線基板１に線や記号が表示されている場合、それらの線や記号から上記マークＭを視覚的に区別するには、そのマークＭを形成している線の太さを極端に太くしておくことが有益であり、そのようにしておくと、作業者が上記マークＭとは表示意図の異なる線や図形をそのマークＭと見間違えるという事態を未然に確実に防止することが可能になることが判っている。
【００２３】
図１の事例ではマークＭを１本の太幅の実線で表示してあり、図２の事例ではマークＭを１本の太幅の破線で表示してあるけれども、図３や図４の各事例では、そのマークＭを形成しているまっすぐな線を、互いに平行で一定の狭い間隔を隔てた太幅線Ｍ１と細幅線Ｍ２との組み合わせによって形成してある。また、図３の事例では、太幅線Ｍ１と細幅線Ｍ２とを共に実線で形成してあるのに対し、図４の事例では、太幅線Ｍ１を実線で形成し、細幅線Ｍ２を破線で形成してある。図１〜図４に示した事例のように、マークＭを表示させるまっすぐな線の本数を変えたり、その線を２本以上のまっすぐな線の組み合わせで形成する場合にそれらの線の幅（太さ）を変えたり線種を変えたりしておくと、作業者にとっては、そのマークＭが、当該配線基板１をディッピング工程に投入する際の向きを示すマークであって他の意図の下で形成されている線や記号ではない、ということを認識しやすくなり、そのことが、誤りなく配線基板１の向きを定めることに役立つ。
【００２４】
マークＭを２本以上の線幅や線種の異なるまっすぐな線の組み合わせによって形成する場合において、線幅の組み合わせとしては同じ線幅としても異なる線幅としてもよく、また、線種の組み合わせとしては実線や破線のほか、点線、一点鎖線、二点鎖線などのさまざまな線種を任意に選択することが可能であり、どのような線種の組み合わせを選択すべきかは、その配線基板の表面に他の意図の下で表示されている線や記号から区別しやすいか否かを基準にすることが望まれる。
【００２５】
図１〜図４に示した事例では、マークＭの表示位置を、流動半田浴の上での適正な移動方向Ｆの始端部１２に近い箇所に極端に偏らせてあるものを説明したけれども、この点は、マークの表示位置を、流動半田浴の上での適正な移動方向Ｆの後方側端部（終端部）１３に近い箇所に極端に偏らせておいてもよい。
【００２６】
次に、図５及び図６は本発明に係る他の実施形態の変形例を平面的に示した説明図である。このうち、図５は、表面が異種の回路形成領域Ｚ１，Ｚ２，Ｚ３，Ｚ４に複数区画されている配線基板１についての事例であり、図６は表面が異種の回路形成領域Ｚ５，Ｚ６，Ｚ７に複数区画されている配線基板１についての事例である。
【００２７】
図５の配線基板１において、その裏面側の回路形成領域Ｚ１にはたとえばインバータ回路（ランプ点灯回路）が形成され、同Ｚ２にはたとえば一次電源回路が形成され、同Ｚ３にはたとえば映像信号処理回路が形成され、同Ｚ４にはたとえばオーディオ回路が形成される。このような配線基板１はテレビジョン受像機やＤＶＤプレーヤ／レコーダに採用することが可能である。また、それぞれの回路形成領域Ｚ１，Ｚ２，Ｚ３，Ｚ４は、当該配線基板１の表面にシル印刷によって白色に表示された輪郭線Ｌ１，Ｌ2 ，Ｌ３によって視覚的に区画されている。
【００２８】
そこで、この事例では、それらの輪郭線Ｌ１，Ｌ2 ，Ｌ３に着目し、それらの輪郭線Ｌ１，Ｌ2 ，Ｌ３のうちの、ディッピング工程での配線基板１の適正な移動方向Ｆに直交するものＬ１，Ｌ３を、ディッピング工程での配線基板１の適正な移動方向Ｆを判断するためのマークＭとして利用している。具体的には、配線基板１の始端部１２に近い位置に極端に偏って表示されている輪郭線Ｌ１をまっすぐな太幅線とし、配線基板１の終端部１３に近い位置に極端に偏って表示されている輪郭線Ｌ３を細幅の破線として形成することによって、作業者が、太幅線で表示されている輪郭線Ｌ１でなるマークＭを見てそのマークＭの位置を前にして配線基板１をディッピング工程に投入したり、あるいは、細幅の破線で表示されている輪郭線Ｌ３でなるマークＭを見てそのマークＭを後にして配線基板１をディッピング工程に投入したりするだけで、その配線基板１が流動半田浴の上で適正な移動方向Ｆに移動するように構成してある。
【００２９】
また、図６の配線基板１において、その裏面側の回路形成領域Ｚ５にはたとえばインバータ回路（ランプ点灯回路）が形成され、同Ｚ６にはたとえば映像信号処理回路が形成され、同Ｚ７にはたとえばオーディオ回路が形成される。このような配線基板１も図５のものと同様にテレビジョン受像機やＤＶＤプレーヤ／レコーダに採用することが可能である。また、それぞれの回路形成領域Ｚ５，Ｚ６，Ｚ７は、当該配線基板１の表面にシル印刷によって白色に表示された輪郭線Ｌ４，Ｌ５によって視覚的に区画されている。
【００３０】
そこで、この事例でも図５のものと同様に、それらの輪郭線Ｌ４，Ｌ５に着目し、それらの輪郭線Ｌ４，Ｌ５のうちの、ディッピング工程での配線基板１の適正な移動方向Ｆに直交するものＬ４，Ｌ５を、ディッピング工程での配線基板１の適正な移動方向Ｆを判断するためのマークＭとして利用している。具体的には、配線基板１の始端部１２に近い位置に極端に偏って表示されている輪郭線Ｌ４をまっすぐな太幅線とし、配線基板１の終端部１３に近い位置に極端に偏って表示されている輪郭線Ｌ５を細幅の破線として形成することによって、作業者が、太幅線で表示されている輪郭線Ｌ４でなるマークＭを見てそのマークＭの位置を前にして配線基板１をディッピング工程に投入したり、あるいは、細幅の破線で表示されている輪郭線Ｌ５でなるマークＭを見てそのマークＭを後にして配線基板１をディッピング工程に投入したりするだけで、その配線基板１が流動半田浴の上で適正な移動方向Ｆに移動するように構成してある。図５及び図６に示した各配線基板１について、マークＭは、矩形の配線基板１を横切る方向に延び、しかも、ディッピング工程での適正な移動方向Ｆに直交している。これらの各事例においても、輪郭線によって形成されているマークＭを、線幅の異なる同一線種又は異種線種の複数本の線の組み合わせによって形成してもよい。なお、図５及び図６において、Ｔはチューナ、ＣはＡＶコネクタを示していて、これらは配線基板１に搭載されている。また、図６において、符号Ｚ８で示した領域は、シルク印刷によって形成された面状絶縁部である。
【図面の簡単な説明】
【００３１】
【図１】本発明に係る実施形態を平面的に示した説明図である。
【図２】変形例を平面的に示した説明図である。
【図３】他の変形例を平面的に示した説明図である。
【図４】さらに他の変形例を平面的に示した説明図である。
【図５】本発明に係る他の実施形態を平面的に示した説明図である。
【図６】変形例を平面的に示した説明図である。
【図７】特許文献１によって提案されている手段を示した平面図である。
【符号の説明】
【００３２】
１  配線基板
１２  配線基板の移動方向の始端部
Ｆ  配線基板の移動方向
Ｍ  マーク
Ｍ１  太幅線
Ｍ２  細幅線
Ｌ１〜Ｌ５  輪郭線
Ｚ１〜Ｚ７  回路形成領域
【図１】
2007235010.tif 000003
【図２】
2007235010.tif 000004
【図３】
2007235010.tif 000005
【図４】
2007235010.tif 000006
【図５】
2007235010.tif 000007
【図６】
2007235010.tif 000008
【図７】
2007235010.tif 000009